(57)【要約】【課題】広幅のレインボー印刷用のインキトレイを短時間で段取り替えができるようにする。【解決手段】インキ壺ローラ３と、インキ壺ローラと平行に架設されたブレード台４に先端をインキ壺ローラの周面に対接させて設けたブレード５と、側壁６ａ，６ｂとからなるインキ壺装置１と、このインキ壺装置のブレード上に載置して着脱可能にして固定されるベース１１と、ベース上に、このベースを上記ブレード上に固定した状態で先端がインキ壺ローラに摺接し、インキ壺ローラの軸方向に所定の間隔を有して複数配置されるインキ堰１７と、この各インキ堰間に隙間なく配置され、先端がインキ壺ローラに対向する分割ブレード１８と、ベースの後端部に設けた桟部材１６に支持されてインキ堰を前後方向に移動調節するインキ堰調節手段及び分割ブレードを前後方向に移動調節する分割ブレード調節手段とからなるインキトレイとからなっている。【選択図】図１
2005153476.tif 000002
【特許請求の範囲】
【請求項１】
インキ壺ローラと、インキ壺ローラと平行に架設されたブレード台に先端をインキ壺ローラの周面に対接させて設けたブレードと、ブレードのインキ壺ローラの軸方向両端を閉じる側壁とからなるインキ壺装置と、
このインキ壺装置のブレード上に載置して着脱可能にして固定されるベースと、ベース上に、このベースを上記ブレード上に固定した状態で先端がインキ壺ローラに摺接する形状にされ、インキ壺ローラの軸方向に所定の間隔を有して複数配置されるインキ堰と、この各インキ堰間に隙間なく配置されると共に、先端がインキ壺ローラに対向する分割ブレードと、ベースの後端部に設けた桟部材に支持されてインキ堰を前後方向に移動調節するインキ堰調節手段及び分割ブレードを前後方向に移動調節する分割ブレード調節手段とからなるインキトレイと、
からなることを特徴とする輪転印刷機のインキ供給装置。
【請求項２】
インキ堰の数及び間隔が異なる複数のインキトレイを、インキ壺装置に選択的に装着することを特徴とする請求項１記載の輪転印刷機のインキ供給装置。
【発明の詳細な説明】
【技術分野】
【０００１】
本発明は、偽造防止対策のため等により、用紙の幅方向に異なる色を走行方向に筋状に印刷する、いわゆるレインボー印刷を可能にした輪転印刷機のインキ供給装置に関するものである。
【背景技術】
【０００２】
従来のこの種のインキ供給装置では、全幅にわたって一様の印刷を行う通常の印刷用のインキ壺内に複数のインキ堰をインキ壺ローラの軸方向に移動可能に設置するようにしたものが知られている（例えば特許文献１参照）。また、インキ壺ローラへ所定の幅にわっってインキを供給するために、この所定の幅に間隔を固定したアタッチメント式のインキトレイを、ドクタブレードをインキ壺ローラから離隔して休止位置にしたインキ壺のドクタブレードに取り付けるようにしたものがある（例えば特許文献２参照）。
【０００３】
【特許文献１】特開２００２−１１８５１号公報
【特許文献２】特開平９−３９２０８号公報
【発明の開示】
【発明が解決しようとする課題】
【０００４】
上記従来の技術のうち、特許文献１に示されたインキ供給装置にあっては、レインボー印刷の際に、印刷機上で１個ずつインキ堰を取り付けなければならず、この取り付けセット時の各インキ堰の調整、位置出し等が難しく、手間及び時間がかかるという問題があり、これはインキ堰の数が多くなる程問題が大きくなる。そして通常の印刷を行う場合には上記のようにセットしたインキ堰を全て１個ずつ取り外さなければならず、この作業もやっかいで、要するに通常の印刷とレインボー印刷双方の仕事の切り替えに多大の時間と労力を要するという問題があった。
【０００５】
一方、特許文献２に示されたインキ供給装置にあっては、広幅の印刷機で、狭い範囲内のみに印刷する場合のものであって、これを広幅のレインボー印刷に適用することができなかった。また、この従来技術のインキトレイは、インキ壺ローラからドクタブレードを離したドクタブレード休止位置で、このドクタブレード上に取り付けるようになっているため、このインキトレイのインキ壺ローラに対する位置決めを精度よく行うことができなかった。
【課題を解決するための手段】
【０００６】
本発明は上記従来の問題点を解決して、インキ壺装置に対して広幅のレインボー印刷用のインキトレイを短時間で段取り替えができ、多数にわたって設けられる各インキ堰によって区切られる各インキ堰の間隔を正確に位置合わせを行うことができるようにした輪転印刷機のインキ供給装置を提供することを目的とするもので、その装置は、インキ壺ローラと、インキ壺ローラと平行に架設されたブレード台に先端をインキ壺ローラの周面に対接させて設けたブレードと、ブレードのインキ壺ローラの軸方向両端を閉じる側壁とからなるインキ壺装置と、このインキ壺装置のブレード上に載置して着脱可能にして固定されるベースと、ベース上に、このベースを上記ブレード上に固定した状態で先端がインキ壺ローラに摺接する形状にされ、インキ壺ローラの軸方向に所定の間隔を有して複数配置されるインキ堰と、この各インキ堰間に隙間なく配置されると共に、先端がインキ壺ローラに対向する分割ブレードと、ベースの後端部に設けた桟部材に支持されてインキ堰を前後方向に移動調節するインキ堰調節手段及び分割ブレードを前後方向に移動調節する分割ブレード調節手段とからなるインキトレイとからなっている。そしてインキ堰の数及び間隔が異なる複数のインキトレイを、インキ壺装置に選択的に装着する。
【発明の効果】
【０００７】
本発明によれば、インキ壺装置に対して広幅のレインボー印刷用のインキトレイを短時間で段取り替えを行うことができる。そしてこのインキトレイに多数にわたって設けられるインキ堰の間隔をこれの間に位置する分割ブレードによって正確に位置合わせを行うことができると共に、インキトレイは使用状態にあるインキ壺装置のブレード上に装着できることにより、このインキトレイをインキ壺ローラに対する位置決めを精度よく行うことができる。
【０００８】
また、上記インキトレイはインキ壺装置の機外で組み立て、これをインキ壺装置にセットできるので、多数のインキ堰及び分割ブレードを有するインキトレイの組立及び洗浄を容易に行うことができる。
【０００９】
さらに、各インキ堰及び分割ブレードのインキ壺ローラに対する位置調節を各インキ堰及び分割ブレードの１個ずつ行うことができ、印刷濃度等の調節が容易に、かつ短時間に行うことができる。
【発明を実施するための最良の形態】
【００１０】
図１において１はインキ壺装置であり、このインキ壺装置１は左右のフレーム２ａ，２ｂに両端軸が軸支されて矢印方向に回転するインキ壺ローラ３と、同じく左右のフレーム２ａ，２ｂに上記インキ壺ローラ３と平行に架設されたブレード台４とを備えており、ブレード台４には、先端をインキ壺ローラ３の周囲に対接させた長い板状のブレード５がホルダ等を介して固定されている。そしてこのインキ壺ローラ３とブレード５とで形成される空間の両端が、インキ壺ローラ３の両端面に摺接して上記ブレード台４に固着された側壁６ａ，６ｂにて閉じられ、この空間にインキが入れられるようになっている。そして上記インキ壺ローラ３の周面とブレード５の先端とで構成されるインキ膜用の隙間は、図２、図３に示すように、ブレード５の先端の下面に対向してインキ壺ローラ３の軸方向に多数設けた調整ねじ７にて調整されるようになっている。なお、このインキ壺装置１は、これのインキ壺ローラ３を除く部分が図示しないレバーによりインキ壺ローラ３から離隔するように上方へ回動して休止状態となるようになっている。また、このインキ壺装置１のブレード台４の後端の両側部には後述するインキトレイ９を支持する支持ピン１０，１０が上方へ向けて突設してある。
【００１１】
インキトレイ９は上記インキ壺装置１内に係脱可能に装着されるようになっている。そしてこのインキトレイ９は、インキ壺装置１のブレード５上に隙間なく載置されるベース１１を有しており、このベース１１の後端の両側部に穴１２，１２が設けてあり、ベース１１が上記ブレード５上に載置したときに、この穴１２，１２が上記ブレード台４に設けた支持ピン１０，１０に係合して位置決めされるようになっている。１３，１３は先端を上記穴１２，１２内に臨ませて設けた押しねじで、この押しねじ１３，１３をねじ込むことにより、これの先端にて支持ピン１０，１０を押圧してベース１１が支持ピン１０，１０を介してブレード５上に位置決め固定されるようになっている。なお、上記穴１２，１２は前後方向（インキ壺ローラ３の軸方向と直角方向）に長い長穴となっていてインキ壺装置１に対して前後方向に若干余裕をもたせてある。
【００１２】
以下にインキトレイ９の構成を、これのベース１１をインキ壺装置１内に装着した状態において説明する。なお、このときのベース１１の先端はインキ壺ローラ３より離隔されている。
【００１３】
ベース１１の両端には先端がインキ壺ローラ３に周接する凹円形に形成された側壁１４ａ，１４ｂが固着してあり、これのそれぞれに取手１５，１５が取り付けてある。また、ベース１１の後端部上面には左右方向（インキ壺ローラ３の軸方向）に長い桟部材１６が固着してある。そしてこの桟部材１６の前側に複数のインキ堰１７が下縁をベース１１の上面に当接させて左右方向に所定の隙間をあけて配置されており、この各桟部材１６の間、及び左右両端のインキ堰１７と側壁１４ａ，１４ｂとの間に分割ブレード１８が配置され、各分割ブレード１８により上記インキ堰１７の左右方向の位置決めがなされ、インキ堰相互の間隔が設定されるようになっている。
【００１４】
各分割ブレード１８の後端で、かつ各分割ブレード１８の幅方向中央には、上記桟部材１６に前後方向にねじ込みにより設けた調節ねじ１９の先端が対向されていて、この各調節ねじ１９にて各分割ブレード１８は前方向へ移動調節可能になっている。なお、この調節ねじ１９の端部は穴状になっていて、この穴状部に調節ねじ１９の先端が嵌入されている。
【００１５】
一方、ベース１１には上記分割ブレード１８の下面に対向する部分に窓枠状に切り抜かれて抜き窓２０が設けてある。そしてこの抜き窓２０に対向する各分割ブレード１８の下面にはピン２１が設けてある。また、分割ブレード１８の抜き窓２０の後側の縁部には、上記各分割ブレード１８のピン２１に対向する位置にフックピン２２が、各フック部を抜き窓２０内に突出させて、前後方向にねじ込み固定して設けてある。２３はロックナットである。そして上記各ピン２１とフックピン２２のフック部とに引っぱりばね２４が掛け渡してあり、この各引っぱりばね２４にて各分割ブレード１８は後側へ付勢されている。各分割ブレード１８のベース１１に対向する部分にマグネット２５が設けてあり、この分割ブレード１８はこのマグネット２５にてベース１１側に固定されるようになっている。
【００１６】
桟部材１６の上側には横棒２６が設けてあり、この横棒２６に上記インキ堰１７と対応する数のフック部材２７が係脱可能に、かつ軸方向に移動可能に、さらに回転可能に支持されており、この各フック部材２７に各インキ堰１７の基端部上縁に設けた溝２８に上方から係脱可能に係合する係合ピン２９を有するブラケット３０がターンバックル３１を介して連結してあり、ターンバックル３１の操作によりインキ堰１７がブラケット３０を介して前後方向に移動調節されるようになっている。
【００１７】
インキ堰１７は図５に示すようになっていて、これの下縁をインキ壺装置１のブレード５に当接すると共に、溝２８に上記ブラケット３０の係合ピン２９に係合した状態で、これの先端がインキ壺ローラ３に摺接するよう凹円形になっている。そしてこのインキ壺ローラ３と摺接する先端部は耐摩耗性と弾性を有する材料、例えば硬度９０度のシリコンゴムにて構成されている。そしてこれの先端には周接方向に溝３２が設けてある。なおインキ堰１７の本体は一例としてＢＳ材にて構成されている。
【００１８】
上記構成において、インキトレイ９はインキ壺装置１のブレード５上に挿入すると共に、ブレード台４の後端両側に設けた支持ピン１０，１０にベース１１の穴１２，１２を係合し、押しねじ１３，１３を締め付けることにより、インキ壺装置１内に位置決めされて装着される。そしてこの状態で所定のインキ堰間に所定のインキを入れてレインボー印刷を行う。
【００１９】
このときにおいて、各インキ堰１７の先端のインキ壺ローラ３との接触強さは、インキ壺ローラ３の周面におけるインキ堰１７間のインキの混色の進行上問題であるが、これの調節は、ターンバックル３１を調節してインキ堰１７を前後方向に移動することにより調節される。
【００２０】
また、各インキ堰１７間に入れたインキのインキ壺ローラ３の周面への供給膜厚は、調節ねじ１９により調節される。すなわち、調節ねじ１９をねじ込むことにより分割ブレード１８が引っぱりばね２４に抗して前側へ押動されて、この分割ブレード１８の先端とインキ壺ローラ３の周面との間の隙間は小さくなり、また、調節ねじ１９をゆるめることにより分割ブレード１８は引っぱりばね２４の付勢力にてインキ壺ローラ３から離れる方向に移動され、これの先端とインキ壺ローラ３との間の隙間は大きくなり、この隙間の大小により上記インキ膜が調節される。このときの引っぱりばね２４の付勢力はフックピン２２により調節される。
【００２１】
上記構成のインキトレイ９は各仕様の印刷に合わせてインキ堰１７の間隔を変えたもの、及びインキ堰１７の数を変えたものを複数組用意しておき、これを上記印刷仕様に応じて使い分ける。
【図面の簡単な説明】
【００２２】
【図１】本発明装置を一部省略して示す分割斜視図である。
【図２】インキトレイの一部を破断して示す平面図である。
【図３】インキトレイの側面図である。
【図４】図２のＡ−Ａ矢視断面図である。
【図５】インキ堰を示す一部破断斜視図である。
【符号の説明】
【００２３】
１…インキ壺装置、２ａ，２ｂ…フレーム、３…インキ壺ローラ、４…ブレード台、５…ブレード、６ａ，６ｂ，１４ａ，１４ｂ…側壁、７…調整ねじ、９…インキトレイ、１０…支持ピン、１１…ベース、１２…穴、１３…押しねじ、１５…取手、１６…桟部材、１７…インキ堰、１８…分割ブレード、１９…調節ねじ、２０…抜き窓、２１…ピン、２２…フックピン、２３…ロックナット、２４…引っぱりばね、２５…マグネット、２６…横棒、２７…フック部材、２８，３２…溝、２９…係合ピン、３０…ブラケット、３１…ターンバックル。
【図１】
2005153476.tif 000003
【図２】
2005153476.tif 000004
【図３】
2005153476.tif 000005
【図４】
2005153476.tif 000006
【図５】
2005153476.tif 000007